(57)【特許請求の範囲】
【請求項１】
通電制御用センサーが設けられた電気融着継手において、融着時に溶融しない継手開口端部の内周面上であって、かつ前記センサーが設けられた円周上の位置を含む継手軸方向に平行な線の近傍に、一個以上の突起を設けたことを特徴とする電気融着継手。
【請求項２】
請求項１に記載の電気融着継手において、融着時に溶融しない継手中央部の内周面上であって、かつ通電制御用センサーが設けられた円周上の位置を含む継手軸方向に平行な線の近傍に、請求項１に記載の突起とほぼ同じ高さの突起を一個以上設けたことを特徴とする電気融着継手。
【発明の詳細な説明】
【０００１】
【産業上の利用分野】
本発明は、熱可塑性樹脂からなるガス管などを接合するための電気融着継手に関する。
【０００２】
【従来の技術】
電気融着継手は、熱可塑性樹脂からなる継手本体の内周部に配設された電熱線に通電することにより、継手本体の内周部と継手に挿入された熱可塑性樹脂管の外周部を融着して、樹脂管同士の接合を図るものである。
【０００３】
安定して良好な融着性能を確保するためには、それに大きな影響を及ぼす電熱線への通電条件を的確に制御する必要がある。そのため、例えば温度センサーを用いて通電時間を制御する方法や、特公昭６３ー２４８２０号公報に開示されている、継手内に樹脂の熱膨張を検出するための圧力センサーを埋設して通電時間を制御する方法などがすでに実用化されている。
【０００４】
【発明が解決しようとする課題】
しかしながら、上記のようなセンサーを用いて通電制御を行っても、以下に述べるように、必ずしも安定して良好な融着性能が確保できるわけではない。すなわち、継手内径は接合すべき樹脂管の外径より大きいため、継手と樹脂管の間には隙間が生じるが、継手と樹脂管それぞれに寸法公差があったり、樹脂管を酸化被膜などを除くために表面を削って継手に挿入するため、常に決められた位置での隙間量を一定に保つことは難しい。したがって、チャンスごとに各位置での隙間量が異なるので、通電条件も変わり、融着不良が生じ易くなる。特に、センサー部では、隙間量が変わると、検出すべき継手樹脂の特性変化の通電時間応答性も変わり、隙間量が小さ過ぎると、樹脂管側への伝熱量が大きくなって、継手樹脂の特性変化が小さくなり過ぎるため、また、隙間量が大き過ぎると、継手樹脂の特性変化が急激に起こるため、通電時間の安定した制御が困難になる。
【０００５】
本発明は、このような問題を解決するためになされたもので、通電制御用センサーが設けられた電気融着継手において、安定した通電制御の可能な電気融着継手を提供することを目的とする。
【０００６】
【課題を解決するための手段】
上記課題は、通電制御用センサーが設けられた電気融着継手において、融着時に溶融しない継手開口端部の内周面上であって、かつ前記センサーが設けられた円周上の位置を含む継手軸方向に平行な線の近傍に、一個以上の突起を設けた電気融着継手により解決される。
【０００７】
また、融着時に溶融しない継手中央部の内周面上であって、かつ前記センサーが設けられた円周上の位置を含む継手軸方向に平行な線の近傍にも、前記突起とほぼ同じ高さの突起を一個以上設けた電気融着継手を用いると、さらに安定した通電制御が可能になる。
【０００８】
【作用】
融着時に溶融しない継手開口端部の内周面上であって、かつセンサーが設けられた円周上の位置を含む継手軸方向に平行な線の近傍に、一個以上のある高さの突起を設けることにより、センサー部における継手と樹脂管の隙間量を常に一定にすることができるため、通電時間を安定的に制御できる。さらに、融着時に溶融しない継手中央部の内周面上であって、かつセンサーが設けられた円周上の位置を含む継手軸方向に平行な線の近傍にも、開口端部側に設けた突起とほぼ同じ高さの突起を一個以上設けると、開口端部と中央部の両方で樹脂管を支持できるので、より確実にセンサー部における継手と樹脂管の隙間量を一定にできる。なお、ここで前記「突起を線の近傍に設ける」とは、継手と樹脂管それぞれに寸法公差があったり、樹脂管を酸化被膜などを除くために表面を削って継手に挿入するときに生じるセンサー部における継手と樹脂管の隙間量の変動が、実質上、融着時に問題の起こらない程度まで小さくできるような位置に突起を設けることを意味する。また、継手中央部の突起の高さを、開口端部側の突起と「ほぼ同じ高さ」としたのは、両者の突起高さに若干の差があっても、センサー部における継手と樹脂管の隙間量が、融着時に問題の起こるほど大きく変動することがないような突起高さであればよいからである。突起を、融着時に溶融しない継手開口端部や継手中央部に設けるのは、溶融部では、突起を設けた継手の場所が溶融したり、突起自体が溶融したりして、継手と樹脂管の隙間量を一定にすることができないためである。
【０００９】
突起の高さ、すなわちセンサー部における継手と樹脂管の隙間量は、継手の口径、構造や用いるセンサーの感度あるいは通電量などによって、その最適値が異なるので、各々の場合に応じた最適値を事前に決めておく必要がある。
【００１０】
【実施例】
（実施例１）
図１に本発明の一実施例である電気融着継手の管軸に垂直な方向から見た断面図を示す。図で、１は継手本体、２は樹脂管、３は突起、４はストッパー、５はセンサー、６はセンサー配設用部位、７は電熱線、８は通電ターミナルである。
【００１１】
継手本体１に、表面を削った樹脂管２をその先端がストッパー４に当たるまで挿入するとき、融着時に溶融しない継手開口端部の内周面上であって、かつセンサー５が設けられた円周上の位置を含む継手軸方向に平行な線の近傍に、ある高さの突起３を一個以上設けてあるので、センサー５が設けられた部分の継手本体１と樹脂管２の隙間量は、ほぼ突起３の高さに等しくなる。それゆえ、継手本体１に樹脂管２を挿入するときの隙間量の変動はほとんどなく、隙間量を常に一定に保つことができる。また、通電ターミナル８を介して電熱線７に電流を流し、継手本体１と樹脂管２を融着するとき、突起３は溶融しない継手開口端部の内周面上に設けられているので、融着時においても、センサー５の設けられた部分の隙間量が変動することはない。したがって、センサー５によって常に安定した通電制御が可能となる。
【００１２】
図２に本発明の一実施例である電気融着継手の管軸に平行な方向から見た断面図を示す。以下の図中においては、図１と同一の部位には同一の符号を付して、説明を省略する。
【００１３】
融着時に溶融しない継手開口端部の内周面上に設けた突起３は、ａ、ｂに示すように、継手円周上のセンサー配設用部位６（センサーの設けられた位置）を含む継手軸方向に平行な線上に、一個設けられてもよいし、ｃに示すように、前記継手軸方向に平行な線を挟むように、二個設けられてもよい。さらに突起数を増やしても、センサーが設けられた部分の継手本体１と樹脂管２の隙間量を常に一定に保つことができれば、特に問題となることはない。また、突起３の形状も、ａは半球状、ｂは三日月状であるが、適切な隙間量が確保できれば、くさび形などどんな形状のものでもかまわない。さらに、突起３は、隙間量を常に一定に保つことのできる剛性を有するものであれば、必ずしも継手本体１と同じ樹脂で作製される必要はなく、他の樹脂、金属、セラミックス、木などいずれの素材で作製されたものでもよい。継手本体１と同じ樹脂からなる突起３を持った継手は、一体成形で作製しても、突起部分を別途付着させて作製してもよい。なお、表面状態や形状などが、継手本体１へ樹脂管２が挿入し易いように考慮された突起３であることが、本実施例のような継手１に樹脂管２を挿入して融着する差込み型継手には好ましい。
【００１４】
（実施例２）
図３に本発明の別の一実施例である電気融着継手の管軸に垂直な方向から見た断面図を示す。
【００１５】
本発明の電気融着継手は、図１の実施例に示す電気融着継手に、融着時に溶融しない継手中央部の内周面上にも、開口端部に設けた突起３とほぼ同じ高さの突起３を設けてたものである。これにより、開口端部と中央部の両方で樹脂管２を支持し、より確実にセンサー５の設けた部分における継手１と樹脂管２の隙間量を一定にできるため、より安定した通電制御が可能となる。
【００１６】
なお、継手中央部側の突起３の高さは、継手開口端側の突起３高さと完全に同一である必要はなく、それに近い高さでもセンサー５の設けた部分における継手１と樹脂管２の隙間量を一定にすることができる。
【００１７】
上記実施例に示した電気融着継手は、いずれも樹脂管を直線的に接合するソケットタイプであるが、同様な差込み型であるチーズ、エルボ、キャップタイプなどの継手にも、また樹脂管の外面に被せて融着するサドル型継手に対しても、本発明は適用できる。
【００１８】
【発明の効果】
本発明は以上説明したように構成されているので、通電制御用センサーが設けられた電気融着継手において、センサーの設けられた位置における継手内面と樹脂管の外面の隙間量を常に一定にできるので、安定した通電制御の可能な電気融着継手を提供できる。したがって、本発明の電気融着継手を用いれば、融着不良を大幅に低減可能となる。
【図面の簡単な説明】
【図１】本発明の一実施例である電気融着継手の管軸に垂直な方向から見た断面図である。
【図２】本発明の一実施例である電気融着継手の管軸に平行な方向から見た断面図である。
【図３】本発明の別の一実施例である電気融着継手の管軸に垂直な方向から見た断面図である。
【符号の説明】
１  継手本体
２  樹脂管
３  突起
５  センサー
【図１】
0003584526.tif 000002
【図２】
0003584526.tif 000003
【図３】
0003584526.tif 000004